【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
被写体光を捉えて画像信号を生成するデジタルカメラにおいて、
光軸上に並ぶ、フォーカスレンズを含む複数のレンズからなり、焦点距離可変であるとともに該フォーカスレンズの移動によりピント調節を行なう撮影レンズと、
前記撮影レンズを収容して、繰出し、沈胴が自在であって繰出時に焦点距離調節を行なうレンズ鏡胴と、
前記撮影レンズにより結像された被写体光を受けて画像信号を生成する固体撮像素子とを備え、
前記レンズ鏡胴は、沈胴時に、前記フォーカスレンズを、光軸から退避させるとともに、繰出時には、該フォーカスレンズを前記撮影レンズ光軸上に進出させるレンズ進退機構を備え、
前記レンズ進退機構が、前記フォーカスレンズを固定軸を中心に回動させることにより、該フォーカスレンズを前記光軸から退避させるとともに該光軸上に進出させることを特徴とするデジタルカメラ。
【請求項２】
前記レンズ鏡胴は、前記撮影レンズを収容して、該撮影レンズが覗く開口を前方に有するとともに後方が壁で画定された内部空間を有し、沈胴時に、前記フォーカスレンズを、前記固体撮像素子が前記壁から突出して配備されていることに伴い形成された、該固体撮像素子脇の、該固体撮像素子と前記壁とで区画された窪み部分に退避させるものであって、繰出し、沈胴に伴って光軸方向に移動し前記フォーカスレンズの光軸方向に関する位置を定めるフォーカスレンズガイド枠と、前記フォーカスレンズを保持するとともに前記フォーカスレンズガイド枠に軸支され、該フォーカスレンズを、繰出時には前記撮影レンズ光軸上に旋回させるとともに沈胴時には前記窪み部分に旋回させるフォーカスレンズ保持枠とを備えたことを特徴とする請求項１記載のデジタルカメラ。
【請求項３】
前記フォーカスレンズ保持枠は、前記フォーカスレンズを前記光軸上に旋回させる方向に付勢されたものであり、
前記壁が、前記内部空間に突出した形状を有し沈胴時に前記フォーカスレンズ保持枠に接して該フォーカスレンズ保持枠の旋回に作用する旋回作用部を有するとともに、
前記フォーカスレンズ保持枠が、沈胴時に前記旋回作用部に押されて前記フォーカスレンズを前記窪み部分に旋回させる作用受け部を有するものであることを特徴とする請求項２記載のデジタルカメラ。
【請求項４】
前記フォーカスレンズ保持枠が、繰出し時には、前記作用受け部と前記旋回作用部とが互いに離れ、前記付勢の作用により前記フォーカスレンズを前記撮影レンズ光軸上に進出させるものであることを特徴とする請求項３記載のデジタルカメラ。
【請求項５】
前記作用受け部は、沈胴時に、前記旋回作用部に押されて該旋回作用部の周囲に回り込みながら前記壁側に移動する、光軸に対し斜めに向いた板状のものであることを特徴とする請求項３記載のデジタルカメラ。
【請求項６】
前記旋回作用部は、先端にテーパが形成されたものであり、
前記作用受け部は、沈胴時に、前記旋回作用部の前記テーパに押されることで前記フォーカスレンズを前記撮影レンズ光軸上から旋回してフォーカスレンズ退避位置に退避させるものであることを特徴とする請求項３記載のデジタルカメラ。
【請求項７】
前記レンズ鏡胴は、前記撮影レンズを収容して、該撮影レンズが覗く開口を前方に有するとともに後方が壁で画定された内部空間を有し、沈胴時に、前記フォーカスレンズを、前記固体撮像素子が前記壁から突出して配備されていることに伴い形成された、該固体撮像素子脇の、該固体撮像素子と前記壁とで区画された窪み部分に退避させるものであり、該レンズ鏡胴内に収納され前記撮影レンズの光軸方向に前記フォーカスレンズと一体的に移動して該撮影レンズを通過する被写体光の光量を制御する光量制御部材を備えたものであって、
前記レンズ進退機構は、沈胴時に、前記光量制御部材を、前記フォーカスレンズと一体的に、前記窪み部分に退避させるとともに、繰出時には、該光量制御部材を、該フォーカスレンズと一体的に、前記撮影レンズ光軸上に進出させるものであることを特徴とする請求項１記載のデジタルカメラ。
【請求項８】
前記光量制御部材は、電気光学素子からなるものであることを特徴とする請求項７記載のデジタルカメラ。
【請求項９】
前記光量制御部材は、開口径を制御することにより前記撮影レンズを通過する被写体光の光量を制御する絞り部材であることを特徴とする請求項７又は８記載のデジタルカメラ。
【請求項１０】
前記光量制御部材は、シャッタ速度を制御することにより前記撮影レンズを通過する被写体光の光量を制御するシャッタ部材であることを特徴とする請求項７又は８記載のデジタルカメラ。
【請求項１１】
被写体光を捉えて画像信号を生成するデジタルカメラにおいて、
光軸上に並ぶ、フォーカスレンズを含む複数のレンズからなり、焦点距離可変であるとともに該フォーカスレンズの移動によりピント調節を行なう撮影レンズと、
前記撮影レンズを収容して、繰出し、沈胴が自在であって繰出時に焦点距離調節を行なうレンズ鏡胴と、
前記撮影レンズにより結像された被写体光を受けて画像信号を生成する固体撮像素子とを備え、
前記レンズ鏡胴は、繰出し、沈胴に伴って光軸方向に移動し前記フォーカスレンズの光軸方向に関する位置を定める、固定軸に軸支されたフォーカスレンズガイド枠と、前記フォーカスレンズを保持し、前記フォーカスレンズガイド枠とともに前記固定軸に軸支され、該フォーカスレンズを、繰出時には前記撮影レンズ光軸上に旋回させるとともに沈胴時には該撮影レンズ光軸から外れた退避位置に旋回させるフォーカスレンズ保持枠とを備えたことを特徴とするデジタルカメラ。
【請求項１２】
前記レンズ鏡胴が、前記撮影レンズを収容して、該撮影レンズが覗く開口を前方に有するとともに後方が壁で画定された内部空間を有し、沈胴時に、前記フォーカスレンズを、前記固体撮像素子が前記壁から突出して配備されていることに伴い形成された、該固体撮像素子脇の、該固体撮像素子と前記壁とで区画された窪み部分に退避させるものであって、
前記フォーカスレンズ保持枠は、前記フォーカスレンズを前記光軸上に旋回させる方向に付勢されたものであり、
前記壁が、前記内部空間に突出した形状を有し沈胴時に前記フォーカスレンズ保持枠に接して該フォーカスレンズ保持枠の旋回に作用する旋回作用部を有するとともに、
前記フォーカスレンズ保持枠が、沈胴時に前記旋回作用部に押されて前記フォーカスレンズを前記撮影レンズ光軸から外れた退避位置に旋回させる作用受け部を有するものであることを特徴とする請求項１１記載のデジタルカメラ。
【請求項１３】
前記フォーカスレンズ保持枠が、繰出し時には、前記作用受け部と前記旋回作用部とが互いに離れ、前記付勢の作用により前記フォーカスレンズを前記撮影レンズ光軸上に進出させるものであることを特徴とする請求項１２記載のデジタルカメラ。
【請求項１４】
前記作用受け部は、沈胴時に、前記旋回作用部に押されて該旋回作用部の周囲に回り込みながら前記壁側に移動する、光軸に対し斜めに向いた板状のものであることを特徴とする請求項１２記載のデジタルカメラ。
【請求項１５】
前記旋回作用部は、先端にテーパが形成されたものであり、
前記作用受け部は、沈胴時に、前記旋回作用部の前記テーパに押されることで前記フォーカスレンズを前記撮影レンズ光軸上から旋回して前記退避位置に退避させるものであることを特徴とする請求項１２記載のデジタルカメラ。
【請求項１６】
被写体光を捉えて画像信号を生成するデジタルカメラにおいて、
焦点距離可変な撮影レンズと、
前記撮影レンズを通過する被写体光の光量を制御する光量制御部材と、
前記撮影レンズおよび前記光量制御部材を収容して、繰出し、沈胴が自在なレンズ鏡胴とを備え、
前記レンズ鏡胴は、沈胴時に、前記光量制御部材を、前記撮影レンズの光軸から外れた所定の光量制御部材退避位置に退避させるとともに、繰出時には、該光量制御部材を前記撮影レンズ光軸上に進出させる光量制御部材進退機構を備えたものであることを特徴とするデジタルカメラ。